(57)【特許請求の範囲】
【請求項１】
中央部に非円形の貫孔部（２０）を有する円盤型回転体（４）と、該回転体（４）を回転自在に保持する左右一対の挟持板部材（２１）（２２）と、上記貫孔部（２０）に対応する位置に貫通孔（２５ａ）（２５ａ）を有すると共に上記挟持板部材（２１）（２２）を左右から被覆する一対のカバー部材（２５）（２５）とを、有する固定平盤体（２）を、備え、
該固定平盤体（２）は、上記回転体（４）を一方向（Ａ）へ回転可能とし、かつ、逆方向（Ｂ）への回転を多段階で阻止して所望の角度で保持する角度調節機構（３）を内有しており、かつ、上記貫孔部（２０）に対して左右いずれからでも回転軸（１）を嵌着可能としたことを特徴とする角度調整金具。
【請求項２】
相手部材（Ｆ）に固着される固定平盤体（２）と、該固定平盤体（２）に挿着される回転軸（１）とを、備え、
上記固定平盤体（２）は、中央部に非円形の貫孔部（２０）を有する円盤型回転体（４）と、該回転体（４）を回転自在に保持する左右一対の挟持板部材（２１）（２２）と、上記貫孔部（２０）に対応する位置に貫通孔（２５ａ）（２５ａ）を有すると共に上記挟持板部材（２１）（２２）を左右から被覆する一対のカバー部材（２５）（２５）とを、有し、かつ、上記回転体（４）を一方向（Ａ）へ回転可能とし、かつ、逆方向（Ｂ）への回転を多段階で阻止して所望の角度で保持する角度調節機構（３）を内有しており、
上記回転軸（１）は、上記貫孔部（２０）に対して左右いずれからでも嵌着可能であって、かつ、非円形の嵌合部（１０）を有することを特徴とする角度調整金具。
【請求項３】
左右の相手部材（Ｆ）（Ｆ）に固着される一対の固定平盤体（２）（２）と、各該固定平盤体（２）に挿着される回転軸（１）とを、備え、
上記固定平盤体（２）は、中央部に非円形の貫孔部（２０）を有する円盤型回転体（４）と、該回転体（４）を回転自在に保持する左右一対の挟持板部材（２１）（２２）と、上記貫孔部（２０）に対応する位置に貫通孔（２５ａ）（２５ａ）を有すると共に上記挟持板部材（２１）（２２）を左右から被覆する一対のカバー部材（２５）（２５）とを、有し、かつ、上記回転体（４）を一方向（Ａ）へ回転可能とし、かつ、逆方向（Ｂ）への回転を多段階で阻止して所望の角度で保持する角度調節機構（３）を内有しており、
しかも、上記一対の固定平盤体（２）（２）を左右共用部品として、左右の相手部材（Ｆ）（Ｆ）に左右対称に、かつ、上記貫孔部（２０）（２０）の軸心（Ｌ２）（Ｌ２）を同一線上として固着し、
上記回転軸（１）は、各上記固定平盤体（２）の貫孔部（２０）に対して相反する方向から嵌着され、かつ、非円形の嵌合部（１０）を有することを特徴とする角度調整金具セット。
【請求項４】
上記固定平盤体（２）は、上記挟持板部材（２１）（２２）を連結する内部リベット（１１）（１１）を有し、かつ、上記挟持板部材（２１）（２２）を包囲状として上記カバー部材（２５）（２５）を連結する外部リベット（１２）（１２）を有している請求項１，２又は３記載の角度調整金具及び角度調整金具セット。
【請求項５】
上記外部リベット（１２）（１２）は、上記固定平盤体（２）の左右外側面（２a）（２ｂ）から突出しないように取着されている請求項４記載の角度調整金具及び角度調整金具セット。
【請求項６】
上記固定平盤体（２）は、側面視矩形状に形成され、各角部（２６）の近傍に取付孔部（１８）を貫設している請求項１，２，３，４又は５記載の角度調整金具及び角度調整金具セット。
【発明の詳細な説明】
【技術分野】
【０００１】
本発明は、角度調整金具及び角度調整金具セットに関する。
【背景技術】
【０００２】
従来、２つの部材を揺動可能に連結し、所定角度で調整可能とする角度調整金具が広く使用されている。
本発明者は、かつて、この種の角度調整金具に関して多くの発明を提案してきた。例えば、特許文献１記載の角度調整金具は、図１２の組立図と図１３の分解図に示すように、固定相手部材に取着される固定アーム１０１と、揺動する相手部材に取着される揺動アーム１０２とを、備えている。揺動アーム１０２は、固定アーム１０１に形成された２枚の平行な挟持板部１０３，１０３間に装入され、揺動自在に枢結されている。また、揺動アーム１０２は、外歯状のギア部１０４を有し、挟持板部１０３，１０３のくさび形窓部１０５内に配設された浮動くさび部材１０６のくさび作用により、一方向への揺動を可能とし、かつ、逆方向への揺動を阻止して所定多段階の角度で保持できるように構成されていた。
【先行技術文献】
【特許文献】
【０００３】
【特許文献１】特許第４２９６２２３号公報
【発明の概要】
【発明が解決しようとする課題】
【０００４】
しかし、従来の角度調整金具１００は、揺動部材の角度を保持する際、固定アーム１０１・揺動アーム１０２の基端部位に過大な曲げ力が作用して、変形してしまう虞れがあった。よって、固定アーム１０１の厚さ寸法ｔ１及び揺動アーム１０２の厚さ寸法ｔ２を、ある程度の強度が確保できる大きさに設定する必要があり、薄型に設計することができなかった。角度調整金具１００を固定相手部材の内部に取り付けると、膨らみが生じてデザイン性が損なわれるという問題があった。
また、固定アーム１０１・揺動アーム１０２の揺動開始角度と揺動終了角度は、設計時に定められ、各角度を変更することができないという欠点があった。つまり、座椅子に用いられる場合ならば、それ専用として設計され、用途が限定されている。よって、用途が異なる製品に適用するには、求められる揺動開始角度と揺動終了角度に応じて、新たな設計及び作製を要するという欠点があった。
【０００５】
そこで、本発明は、上記の問題点を解消した角度調整金具及び角度調整金具セットを提供することを目的とする。
【課題を解決するための手段】
【０００６】
本発明に係る角度調整金具は、中央部に非円形の貫孔部を有する円盤型回転体と、該回転体を回転自在に保持する左右一対の挟持板部材と、上記貫孔部に対応する位置に貫通孔を有すると共に上記挟持板部材を左右から被覆する一対のカバー部材とを、有する固定平盤体を、備え、該固定平盤体は、上記回転体を一方向へ回転可能とし、かつ、逆方向への回転を多段階で阻止して所望の角度で保持する角度調節機構を内有しており、かつ、上記貫孔部に対して左右いずれからでも回転軸を嵌着可能としたものである。
【０００７】
また、相手部材に固着される固定平盤体と、該固定平盤体に挿着される回転軸とを、備え、上記固定平盤体は、中央部に非円形の貫孔部を有する円盤型回転体と、該回転体を回転自在に保持する左右一対の挟持板部材と、上記貫孔部に対応する位置に貫通孔を有すると共に上記挟持板部材を左右から被覆する一対のカバー部材とを、有し、かつ、上記回転体を一方向へ回転可能とし、かつ、逆方向への回転を多段階で阻止して所望の角度で保持する角度調節機構を内有しており、上記回転軸は、上記貫孔部に対して左右いずれからでも嵌着可能であって、かつ、非円形の嵌合部を有するものである。
【０００８】
また、本発明に係る角度調整金具セットは、左右の相手部材に固着される一対の固定平盤体と、各該固定平盤体に挿着される回転軸とを、備え、上記固定平盤体は、中央部に非円形の貫孔部を有する円盤型回転体と、該回転体を回転自在に保持する左右一対の挟持板部材と、上記貫孔部に対応する位置に貫通孔を有すると共に上記挟持板部材を左右から被覆する一対のカバー部材とを、有し、かつ、上記回転体を一方向へ回転可能とし、かつ、逆方向への回転を多段階で阻止して所望の角度で保持する角度調節機構を内有しており、しかも、上記一対の固定平盤体を左右共用部品として、左右の相手部材に左右対称に、かつ、上記貫孔部の軸心を同一線上として固着し、上記回転軸は、各上記固定平盤体の貫通孔に対して相反する方向から嵌着され、かつ、非円形の嵌合部を有するものである。
【０００９】
また、上記固定平盤体は、上記挟持板部材を連結する内部リベットを有し、かつ、上記挟持板部材を包囲状として上記カバー部材を連結する外部リベットを有しているものである。
また、上記外部リベットは、上記固定平盤体の左右外側面から突出しないように取着されているものである。
また、上記固定平盤体は、側面視矩形状に形成され、各角部の近傍に取付孔部を貫設しているものである。
【発明の効果】
【００１０】
本発明の角度調整金具によれば、固定平盤体の貫通孔に回転軸を差し換えるのみで、固定平盤体を全く同一の部品で左右共用できる。また、回転体及び挟持板部材に掛かる応力を分散させて軽減することができ、固定平盤体をコンパクトかつ薄型のユニットとして設計することが可能である。しかも、使用用途に応じて、回転軸の回転開始角度と回転終了角度の調整を容易に行なうことができる。これによって、適用する製品の種類や使用条件が異なる場合であっても、簡単に対応でき、使用用途を拡大し、製造コストの低減、及び、在庫管理の容易化、流通の簡略化を図り得る。しかも、部品点数が少なく、製作が容易である。
【００１１】
また、本発明の角度調整金具セットによれば、固定平盤体を全く同一の部品で左右共用できる。また、回転体及び挟持板部材に掛かる応力を分散させて軽減することができ、固定平盤体をコンパクトかつ薄型のユニットとして設計することが可能である。しかも、使用用途に応じて、回転軸の回転開始角度と回転終了角度の調整を容易に行なうことができる。これによって、適用する製品の種類や使用条件が異なる場合であっても、簡単に対応でき、使用用途を拡大し得る。
【図面の簡単な説明】
【００１２】
【図１】本発明に係る角度調整金具の実施の一形態を示した一部破断側面図である。
【図２】カバー部材を取り付ける前の固定平盤体の半製品を示した斜視図である。
【図３】固定平盤体の一例を示した斜視図である。
【図４】本発明の角度調整金具及び角度調整金具セットを示した斜視図である。
【図５】本発明の角度調整金具の分解図である。
【図６】角度調整金具の正面図である。
【図７】角度調整金具の断面平面図である。
【図８】本発明の角度調整金具及び角度調整金具セットの使用状態を示した斜視図である。
【図９】本発明の角度調整金具及び角度調整金具セットの他の使用例を示した断面側面図である。
【図１０】本発明の角度調整金具及び角度調整金具セットの別の使用例を示した断面側面図である。
【図１１】角度調整金具の作用を説明する要部拡大図である。
【図１２】従来の角度調整金具を示した組立図である。
【図１３】従来の角度調整金具を示した分解図である。
【発明を実施するための形態】
【００１３】
以下、実施の形態を示す図面に基づき本発明を詳説する。
図１〜図３、及び、図５の分解図に示すように、本発明の角度調整金具は、中央部に非円形の貫孔部２０を有する円盤型回転体４と、回転体４を回転自在に保持する左右一対の挟持板部材２１，２２と、貫孔部２０に対応する位置に貫通孔２５ａ，２５ａを有すると共に挟持板部材２１，２２を左右から被覆する一対のカバー部材２５，２５とを、有する固定平盤体２を、備えている。固定平盤体２は、回転体４を一方向Ａへ回転可能とし、かつ、逆方向Ｂへの回転を多段階で阻止して所望の角度で保持する角度調節機構３を内有している。
貫孔部２０は、断面形状が軸心Ｌ２を中心とする正六角形状に形成されている。貫孔部２０は、固定平盤体２の中央位置に配設され、固定平盤体２を左右方向に貫通している。
【００１４】
固定平盤体２は、挟持板部材２１，２２を連結する内部リベット１１，１１を有し、かつ、挟持板部材２１，２２を包囲状としてカバー部材２５，２５を連結する外部リベット１２，１２を有している。
固定平盤体２は、挟持板部材２１，２２間に回転体４を回転自在に挟持した状態で、内部リベット１１，１１を挿通してカシメ加工することで一体化された半製品１９とし、その後、半製品１９にカバー部材２５，２５を被せて外部リベット１２，１２を挿通してカシメ加工し、一体状のユニットとして組立てられている。カバー部材２５，２５は、固定平盤体２内部の角度調節機構３に異物が噛み込むのを防止する防塵用として、かつ、後述の浮動くさび部材６，６を保持する脱落防止用として設けられている。
外部リベット１２，１２は、カバー部材２５，２５の凹窪部２５ｂ，２５ｂの底部に貫設した連結孔部２７，２７に挿通して固着され、固定平盤体２の左右外側面２a，２ｂから突出しないように取着されている。
固定平盤体２は、側面視矩形状に形成され、各角部２６の近傍に、固定用取付ボルト１３…を挿通するための取付孔部１８を貫設している。
【００１５】
図４〜図６に示すように、本発明の角度調整金具は、固定平盤体２の貫孔部２０に対して左右いずれからでも嵌着可能であって、非円形の嵌合部１０を有する回転軸１を具備している。この非円形の嵌合部１０が非円形の貫孔部２０に嵌着されて相互に非回転状態となる。
回転軸１は、貫孔部２０に対して係脱自在に挿着されている。回転軸１は、先端１ａ側を貫孔部２０に挿通可能な断面略正方形状の胴体部１５とし、基端１ｂに抜止め用の外鍔部１４を備えている。嵌合部１０は、断面正六角形状に形成され、回転軸１の基端１ｂ寄りに設けられている。回転軸１は、回転体４と一体として回転し、回転軸１の回転軸心Ｃ１と貫孔部２０の軸心Ｌ２とが同一線状に重なるように挿入されている。回転軸１は、貫孔部２０に嵌入された状態で、ワッシャ２８と抜止め部材２９が取付けられる。このようにして、一方向Ａへ回転可能とし、かつ、逆方向Ｂへの回転を多段階で阻止されるように固定平盤体２に挿着されている。
【００１６】
また、図４に於て、本発明は、左右一対の固定平盤体２，２と、各固定平盤体２に挿着される回転軸１とを、備え、一組の角度調整金具から構成される角度調整金具セットとして、使用されるのが好ましい。
一対の固定平盤体２，２は、左右共用部品として、左右対称に配設され、かつ、貫孔部２０，２０の軸心Ｌ２，Ｌ２を同一線上として固定相手部材に（図８に示すように）固着している。回転軸１は、各固定平盤体２の貫孔部２０に対して相反する方向から嵌着されている。
左右の固定平盤体２，２は、相互に同一形状・同一構造であり、（全く同一の２つの部品をもって、）共用が可能である。左右の回転軸１，１は、同一の回転軸心Ｃ１廻りに回転自在であって、回転可能方向Ａ及び回転阻止方向Ｂが相互に一致している（図８参照）。
【００１７】
図８〜図１０は、本発明の角度調整金具及び角度調整金具セットの使用状態を示した図である。
図８に示すように、本発明の角度調整金具セットは、例えば、ソファＳに適用され、座部Ｓ１に固定された相手部材Ｆ，Ｆに対して、図中２点鎖線で示す背もたれ部Ｓ２を揺動自在として枢支している。一対の固定平盤体２，２は、左右の相手部材Ｆ，Ｆの内側面に左右対称に固着されている。固定平盤体２は、相手部材Ｆに対して、４つの取付ボルト１３…をもって強固に固着されている。左右の固定平盤体２，２に、内側に突出状として回転軸１が嵌着されている。回転軸１，１は、背もたれ部Ｓ２の左右両側面に予め形成された（図示省略の）取付金具の孔部に挿入状に固着され、背もたれ部Ｓ２を、一方向Ａへ揺動可能とし、かつ、逆方向Ｂへの揺動を多段階で阻止している。つまり、背もたれ部Ｓ２は、最終傾倒状態（水平姿勢）から所望の角度だけ前方（一方向Ａ）に揺動させ、そこから後方（逆方向Ｂ）に揺動するのを阻止されており、所望の角度にて姿勢が保持される。
次に、図９に示すように、本発明の角度調整金具を上下揺動式扉Ｄに適用した場合について説明すると、固定平盤体２は、固定側の相手部材Ｆに固着され、回転軸１は、扉Ｄの側面に挿入取着され、扉Ｄを上下方向に揺動自在である。扉Ｄは、最終閉鎖状態となる垂直姿勢から所望の角度だけ上方（一方向Ａ）に揺動させ、そこから下方（逆方向Ｂ）に揺動するのを阻止されており、所望の角度にて姿勢が保持されるように取付けられている各種の開閉戸や開閉窓、あるいは、車のリアゲート等に適用可能であることを示す。
また、図１０に示すように、本発明の角度調整金具を車のボンネットに適用する場合は、車のボディを固定用の相手部材Ｆとして固定平盤体２を固着している。ボンネットＥには、回転軸１が固着（取着）される。ボンネットＥは、最終閉鎖状態となる水平姿勢から所望の角度だけ上方（一方向Ａ）に揺動させ、そこから下方（逆方向Ｂ）に揺動するのを阻止されており、所望の角度にて姿勢が保持されるように取付けられている。この図１０の構成を物品収納庫の扉に応用することもできる。
【００１８】
ここで、固定平盤体２について説明を加えると、図１及び図５に示すように、固定平盤体２は、角度調節機構３として、回転体４の外周面に貫孔部２０の軸心Ｌ２を対称軸として１８０度の回転対称位置に配設した外歯状の凹凸ギア歯面４０，４０と、挟持板部材２１，２２に貫孔部２０の軸心Ｌ２を対称軸として１８０度の回転対称位置に貫設した一対のくさび形窓部５，５と、一面側に回転体４の凹凸ギア歯面４０に噛合可能な歯面７を有すると共に他面側にくさび形窓部５の外方側のくさび面８に当接する当接面９を有する一対の浮動くさび部材６，６と、浮動くさび部材６，６を回転体４へ押し付ける方向に弾発付勢する弾発部材３０，３０とを、備えている。浮動くさび部材６は、左右のくさび形窓部５，５に挿入され、くさび形窓部５内を移動可能に配設されている。角度調節機構３は、各浮動くさび部材６の一面側の歯面７が凹凸ギア歯面４０に噛合し、かつ、他面側の当接面９がくさび形窓部５のくさび面８に当接し、回転体４を回転対称位置から挟持して回転をバランス良く規制し、回転体４が一方向Ａへ回転するのを抑制している。
【００１９】
回転体４は、中心角度が１８０度未満の円弧状範囲にわたって凹凸ギア歯面４０を配設している。凹凸ギア歯面４０の配設される範囲の円弧上に於て、回転体４の回転可能方向Ａから見て後方に噛合解除用押圧凸部４３が立設され、前方に噛合復元用押出凸部４４が立設されている。
また、図１と図７に示すように、回転体４は、貫孔部２０の軸心Ｌ２を中心とする円環状の低突隆部４１，４２を、左右両側面４ａ，４ｂから突設している。左右の低突隆部４１，４２は、貫孔部２０の軸心Ｌ２を中心とする摺接外周面４１ａ，４２ａの半径Ｒ１，Ｒ２が、互いに異なるように形成されている。さらに、回転体４に於て、凹凸ギア歯面４０のギア半径Ｒｇに対し、摺接外周面４１ａ，４２ａの半径Ｒ１，Ｒ２を、６０％〜８０％に設定している。凹凸ギア歯面４０のギア半径Ｒｇに対し、摺接外周面４１ａ，４２ａの半径Ｒ１，Ｒ２を、６０％より小さく設定した場合には、回転体４の凹凸ギア歯面４０に対する軸としての低突隆部４１，４２が小径となるため、接触面圧が過大となって、早期摩耗を生じ、凹凸ギア歯面４０の相互噛合の不良や折損、異常摩耗を発生する虞れがある。また、凹凸ギア歯面４０のギア半径Ｒｇに対し、摺接外周面４１ａ，４２ａの半径Ｒ１，Ｒ２が、８０％を越えると、軸受としての挟持板部材２１，２２の強度が低下し、不都合である。
挟持板部材２１，２２は、中央位置に、回転体４の低突隆部４１，４２を嵌着可能な円形支持孔２３，２４が貫設されている。一方の挟持板部材２１には、一方側の低突隆部４１に対応する円形支持孔２３が形成され、他方の挟持板部材２２には、反対側の低突隆部４２に対応する円形支持孔２４が形成されている。つまり、円形支持孔２３，２４は、互いに異なる摺接外周面４１ａ，４２ａの半径Ｒ１，Ｒ２に対応して、相互に異なる口径に設定されている。この構成により、回転体４の取付方向が常に一定となり、組立てミスを防止し得る。回転体４は、摺接外周面４１ａ，４２ａを摺動可能として、低突隆部４１，４２を円形支持孔２３，２４に枢着し、挟持板部材２１，２２に回転自在に保持されている。
【００２０】
図１、図２及び図５に示すように、挟持板部材２１，２２には、内部リベット１１，１１を挿通するための第１陥没孔部１６，１６が２箇所に貫設され、かつ、外部リベット１２，１２を挿通するための第２陥没孔部１７，１７が２箇所に貫設されている。第１陥没孔部１６，１６及び第２陥没孔部１７，１７は、挟持板部材２１，２２の左右外側面から凹状に落ち込んでいる。内部リベット１１，１１は、挟持板部材２１，２２の左右外側面から突出しないように取着されている。
くさび形窓部５は、貫孔部２０の軸心Ｌ２を中心として内側に凹となるように形成されている。くさび形窓部５は、外方側を円弧状のくさび面８とし、浮動くさび部材６が回転体４との噛合を解除した状態で収容可能な退避空間部３１を有し、内方側に浮動くさび部材６を誘導する誘導段付部３２を突設している。
浮動くさび部材６は、誘導段付部３２に当接して回転体４から離間する方向へ自らを誘導する勾配面３３を、一面側の歯面７の後縁部に形成している。
弾発部材３０は、左右の挟持板部材２１，２２のいずれかに固着され、回転体４とくさび形窓部５のくさび面８との間に介在する浮動くさび部材６を回転体４に押し付ける方向に弾発付勢するように配設されている。
【００２１】
上述した本発明の角度調整金具及び角度調整金具セットの作用について説明する。
図８に示すように、固定平盤体２，２をソファＳの座部Ｓ１に固定された相手部材Ｆ，Ｆに固着し、各固定平盤体２から内側に突出した回転軸１の胴体部１５を背もたれ部Ｓ２の左右両側面に挿入状に取着する。固定平盤体２，２は、左右共用部品として使用され、回転軸１，１を左右逆向きに挿着されている。
【００２２】
背もたれ部Ｓ２が水平姿勢となった最終傾倒状態から徐々に図中矢印Ａ方向へ起立させて、背もたれ部Ｓ２の傾倒（揺動）角度を調整する場合について説明する。
最終傾倒状態下で、固定平盤体２内の角度調節機構３に於て、図１１（ａ）に示すように、浮動くさび部材６の歯面７が、回転体４の凹凸ギヤ歯面４０に噛合し、かつ、当接面９がくさび面８に当接している。背もたれ部Ｓ２を矢印Ａ方向へ揺動させると回転軸１と一体状に回転体４がＡ方向に回転し、図１１（ｂ）に示すように、浮動くさび部材６の当接面９は、くさび面８から離れて僅かな間隙ｇを生じる。図１１（ｃ）に示すように、さらにＡ方向に回転体４を回転させると、浮動くさび部材６の勾配面３３がくさび形窓部５の誘導段付部３２に当接し、歯面７と凹凸ギヤ歯面４０との噛合が解除され、歯面７が凹凸ギヤ歯面４０に弾かれるようにカチカチと音を立てつつ乗り越える。背もたれ部Ｓ２を所望の位置で停止すると、弾発部材３０によって、浮動くさび部材６が回転体４に押し付けられ、歯面７が凹凸ギヤ歯面４０に噛合する。このくさび作用により背もたれ部Ｓ２の矢印Ｂ方向への揺動は規制され、所望の傾斜角度をもって保持される。
【００２３】
図８に示すように、背もたれ部Ｓ２を所定量揺動させて最終起立状態とすると、図１１（ｄ）に示すように、押圧凸部４３が浮動くさび部材６に当接し、浮動くさび部材６を押圧する。図１１（ｅ）に示すように、さらにＡ方向に回転体４を回転させると、浮動くさび部材６は、勾配面３３をくさび形窓部５の誘導段付部３２に摺接しつつ退避空間部３１に案内（誘導）される。浮動くさび部材６が退避空間部３１に収納されると、歯面７と凹凸ギヤ歯面４０の噛合は解除され、Ｂ方向への回転が自由になる。そして、図１１（ｆ）に示すように、背もたれ部Ｓ２をＢ方向へ揺動し、最終傾倒状態まで復元すると、押出凸部４４が浮動くさび部材６に当接し、浮動くさび部材６を退避空間部３１から押し出す。このようにして、再び図１１（ａ）に示す状態として、歯面７が凹凸ギヤ歯面４０に噛合し、背もたれ部Ｓ２のＢ方向への揺動を規制する。
【００２４】
ここで、使用者の所望の傾倒（揺動）角度に調整された背もたれ部Ｓ２に、使用者がもたれかかると、回転軸１に回転トルクが発生し、固定平盤体２内の回転体４と挟持板部材２１，２２に応力が発生する。固定平盤体２は、回転体４及び左右の挟持板部材２１，２２にて応力を分散させるため、コンパクト（小型）かつ薄型であっても十分に荷重を支持可能である。
固定平盤体２は、左右の挟持板部材２１，２２を内部リベット１１，１１にて連結一体化し、さらに、カバー部材２５，２５を外部リベット１２，１２にて固着されているため、十分な強度をもって組み立てられ、大きな負荷がかかった場合でも破損することなく荷重を支持する。固定平盤体２は、左右外側面２ａ，２ｂから外部リベット１２，１２が突出しないように取着されているため、左右外側面２ａ，２ｂのどちら側からでも相手部材Ｆに密着させて取り付けることが可能であり、左右共用を可能とする。固定平盤体２は、四隅の角部２６…の近傍に配設した取付孔部１８…に、取付ボルト１３…を挿通して、相手部材Ｆに固着される。固定平盤体２は、その中心に、回転軸１を有するので、回転軸１から伝わる回転トルクに対して、安定して強固に相手部材Ｆに対して保持される。
【００２５】
図９及び図１０に示すように、本発明の角度調整金具は、上下揺動扉や車のボンネット等の各種用途に応用可能であり、回転軸１の回転開始角度と回転終了角度を適宜調整すれば、加工精度及び材質や熱処理等を求められ製作が困難かつ高価な機能部品を共通してそのまま使用することが可能となる。
【００２６】
以上のように、本発明に係る角度調整金具は、中央部に非円形の貫孔部２０を有する円盤型回転体４と、回転体４を回転自在に保持する左右一対の挟持板部材２１，２２と、貫孔部２０に対応する位置に貫通孔２５ａ，２５ａを有すると共に挟持板部材２１，２２を左右から被覆する一対のカバー部材２５，２５とを、有する固定平盤体２を、備え、固定平盤体２は、回転体４を一方向Ａへ回転可能とし、かつ、逆方向Ｂへの回転を多段階で阻止して所望の角度で保持する角度調節機構３を内有しており、かつ、貫孔部２０に対して左右いずれからでも回転軸１を嵌着可能としたので、固定平盤体２の貫孔部２０に回転軸１を差し換えるのみで、（左右セットとして使用する場合に、）固定平盤体２を全く同一の部品で左右共用できる。また、回転体４及び挟持板部材２１，２２に掛かる外力を分散させて安定して強固に相手部材Ｆに取着でき、固定平盤体２をコンパクトかつ薄型のユニットとして設計することが可能である。しかも、使用用途に応じて、回転軸１の回転開始角度と回転終了角度の調整を容易に行なうことができる。これによって、適用する製品の種類や使用条件が異なる場合であっても、簡単に対応でき、使用用途を拡大し、製造コストの低減、及び、在庫管理の容易化、流通の簡略化を図り得る。しかも、部品点数が少なく、製作が容易である。
【００２７】
また、相手部材Ｆに固着される固定平盤体２と、固定平盤体２に挿着される回転軸１とを、備え、固定平盤体２は、中央部に非円形の貫孔部２０を有する円盤型回転体４と、回転体４を回転自在に保持する左右一対の挟持板部材２１，２２と、貫孔部２０に対応する位置に貫通孔２５ａ，２５ａを有すると共に挟持板部材２１，２２を左右から被覆する一対のカバー部材２５，２５とを、有し、かつ、回転体４を一方向Ａへ回転可能とし、かつ、逆方向Ｂへの回転を多段階で阻止して所望の角度で保持する角度調節機構３を内有しており、回転軸１は、貫孔部２０に対して左右いずれからでも嵌着可能であって、かつ、非円形の嵌合部１０を有するので、固定平盤体２の貫孔部２０に回転軸１を差し換えるのみで、（左右セットとして使用する場合に、）固定平盤体２を全く同一の部品で左右共用できる。また、回転体４及び挟持板部材２１，２２に掛かる外力を分散させて安定して強固に相手部材Ｆに取着でき、固定平盤体２をコンパクトかつ薄型のユニットとして設計することが可能である。しかも、使用用途に応じて、回転軸１の回転開始角度と回転終了角度の調整を容易に行なうことができる。これによって、適用する製品の種類や使用条件が異なる場合であっても、簡単に対応でき、使用用途を拡大し、製造コストの低減、及び、在庫管理の容易化、流通の簡略化を図り得る。しかも、部品点数が少なく、製作が容易である。
【００２８】
また、本発明の角度調整金具セットは、左右の相手部材Ｆ，Ｆに固着される一対の固定平盤体２，２と、各固定平盤体２に挿着される回転軸１とを、備え、固定平盤体２は、中央部に非円形の貫孔部２０を有する円盤型回転体４と、回転体４を回転自在に保持する左右一対の挟持板部材２１，２２と、貫孔部２０に対応する位置に貫通孔２５ａ，２５ａを有すると共に挟持板部材２１，２２を左右から被覆する一対のカバー部材２５，２５とを、有し、かつ、回転体４を一方向Ａへ回転可能とし、かつ、逆方向Ｂへの回転を多段階で阻止して所望の角度で保持する角度調節機構３を内有しており、しかも、一対の固定平盤体２，２を左右共用部品として、左右の相手部材Ｆ，Ｆに左右対称に、かつ、貫孔部２０，２０の軸心Ｌ２，Ｌ２を同一線上として固着し、回転軸１は、各固定平盤体２の貫孔部２０に対して相反する方向から嵌着され、かつ、非円形の嵌合部１０を有するので、固定平盤体２，２を全く同一の部品で左右共用できる。また、回転体４及び挟持板部材２１，２２に掛かる外力を分散させて安定して強固に相手部材Ｆに取着でき、固定平盤体２をコンパクトかつ薄型のユニットとして設計することが可能である。しかも、使用用途に応じて、回転軸１の回転開始角度と回転終了角度の調整を容易に行なうことができる。これによって、適用する製品の種類や使用条件が異なる場合であっても、簡単に対応でき、使用用途を拡大し、製造コストの低減、及び、在庫管理の容易化、流通の簡略化を図り得る。しかも、部品点数が少なく、製作が容易である。
【００２９】
また、固定平盤体２は、挟持板部材２１，２２を連結する内部リベット１１，１１を有し、かつ、挟持板部材２１，２２を包囲状としてカバー部材２５，２５を連結する外部リベット１２，１２を有しているので、十分な強度をもって組み立てられ、大きな負荷がかかった場合でも破損することなく確実に荷重を支持できる。
【００３０】
また、外部リベット１２，１２は、固定平盤体２の左右外側面２a，２ｂから突出しないように取着されているので、左右外側面２ａ，２ｂのどちら側からでも相手部材Ｆに密着させて取り付けることが可能であり、固定平盤体２を左右共用部品として使用することができる。
【００３１】
また、固定平盤体２は、側面視矩形状に形成され、各角部２６の近傍に取付孔部１８を貫設しているので、固定平盤体２を相手部材Ｆに強固かつ堅牢に固着できる。
【符号の説明】
【００３２】
１  回転軸
２  固定平盤体
２a，２ｂ  左右外側面
３  角度調節機構
４  回転体
１０  嵌合部
１１  内部リベット
１２  外部リベット
１８  取付孔部
２０  貫孔部
２１  挟持板部材
２２  挟持板部材
２５  カバー部材
２５ａ  貫通孔
２６  角部
Ａ  一方向
Ｂ  逆方向
Ｆ  相手部材
Ｌ２  軸心
【図１】
0005498327.tif 000002
【図２】
0005498327.tif 000003
【図３】
0005498327.tif 000004
【図４】
0005498327.tif 000005
【図５】
0005498327.tif 000006
【図６】
0005498327.tif 000007
【図７】
0005498327.tif 000008
【図８】
0005498327.tif 000009
【図９】
0005498327.tif 000010
【図１０】
0005498327.tif 000011
【図１１】
0005498327.tif 000012
【図１２】
0005498327.tif 000013
【図１３】
0005498327.tif 000014